(57)【要約】      （修正有）【課題】脚のベース体を床に固定する机において、脚柱に配線ダクトを装着する場合と装着しない場合との両方に対応性できるカバー手段を提供する。【解決手段】脚柱３は角形鋼管で断面長方形になっており、この脚柱３の下端に金属板製のベース体１４が固着されている。ベース体１４は前露出部１４ａと後露出部１４ｂとを備えており、それぞれに上向きの締結部１７，１８が形成されている。カバー２０はフロントパーツ２１とリアパーツ２２とサイドパーツ２３との４部材で構成されており、一つのサイドパーツ２３を取り外すことで脚柱３に配線ダクト１２を取り付けることができる。配線ダクト１２はサイドパーツ２３と略同じ平面形状及び大きさであるため、フロントパーツ２１及びリアパーツ２２と配線ダクト１２とのラインも揃って体裁が良い。【選択図】図４
2008093101.tif 000002
【特許請求の範囲】
【請求項１】
左右長手の天板と、前記天板を支持する脚柱と、前記脚柱の下端に固定したベース体とを備えており、前記ベース体は脚柱の外側にはみ出した露出部を有していてこの露出部がアンカーで床に固定されるようになっており、更に、前記ベース体の露出部は着脱自在なカバーで覆われており、かつ、前記脚柱の外周面のうちの一部に上下長手の配線ダクトを取り付けることが可能になっている、
という床固定式机であって、
前記カバーはベース体の全体を覆う形態になっており、このカバーのうち少なくとも前記配線ダクトが取り付けられる部分は他の部分から分離可能になっている、
床固定式机。
【請求項２】
前記ベース体は、脚柱の前方にはみ出た前露出部と脚柱の手前側にはみ出た後露出部とを有しており、脚柱の左右側面のうち何れか一方又は両方に前記配線ダクトを取り付けることが可能になっている一方、
前記カバーは、主として前記ベース体の前露出部を覆うフロントパーツと、主として前記ベース体の後露出部を覆うリアパーツと、前記脚柱の左右外側面部においてフロントパーツとリアパーツとの間に介在した左右サイドパーツとの４個のパーツで構成されており、前記サイドパーツと配線ダクトとは平面視で略同じ形状及び大きさになっている、
請求項１に記載した床固定式机。
【請求項３】
前記ベース体は金属板製であり、前記前露出部と後露出部との左右側縁部には、左右方向に開口した雌ねじ部を有する締結部が上向きに突設されている一方、前記サイドパーツには前記ベース体における締結部の外面に重なる前後の張り出し片が形成されており、更に、前記フロントパーツとリアパーツとには、当該フロントパーツ及びリアパーツと前記サイドパーツの張り出し片とをベース体の締結部に共締めするビスを挿入する取り付け穴が左右方向に延びるように形成されている、
請求項２に記載した床固定式机。
【発明の詳細な説明】
【技術分野】
【０００１】
本願発明は、例えば大学や専門学校等の学校の講堂（大教室）や講演会場で多用されている床固定式机に関するものである。
【背景技術】
【０００２】
この種の床固定式机は、左右長手の天板と、天板を支持する脚柱と、脚柱の下端に固定したベース体とを備えており、一般に脚柱は鋼管製である一方、ベース体は脚柱の前後両側にはみ出る前後長手の形態になっており、ベース体のうち脚柱の前後両側にはみ出た部分をアンカーで床に固定している。そして、ベース体をカバーで覆うことが行われており、その例として特許文献１には、ベース体の前部と後部とをアンカーで固定するようになっている机において、ベース体の前部と後部とにアンカーを覆うカバーを装着することが開示されている。
【０００３】
しかし、この特許文献１のようにベース体の前部と後部のみをカバーで覆う構成では、ベース体のうち露出する部分は塗装したり見栄えが良いデザインにせねばならないというように、ベース体の加工や形態に関する制約が多くなって設計の自由性が低下し、また、人が誤って足で蹴ってカバーが外れる虞も高くなるという問題がある。
【０００４】
また、近年の大学や専門学校の講義（授業）ではパソコンを使用することが広く行われており、そこで、机に電源用コンセントや通信線用雌プラグを設ける必要があり、このために脚柱に配線ダクトを設けることの必要性が高くなっているが、特許文献１では配線ダクトについての配慮は成されていない。
【０００５】
これに対して本願出願人は、特許文献２において、脚柱の側面に配線ダクトを取り付け、しかも、ベース体の全体と配線ダクトの下端部とが左右二つ割り方式のカバーで覆われた机を開示した。
【特許文献１】特開２００４−１５９７０５号公報
【特許文献２】特開２００２−３０５８３５号公報
【発明の開示】
【発明が解決しようとする課題】
【０００６】
特許文献２に開示された机は、ベース体はその全体がカバーで覆われているため、ベース体の加工や形態についての制約は著しく少なくなると共に、人が足で誤って蹴った場合の外れ防止機能も格段に向上し、更に、脚柱に配線ダクトを取り付けることができるためパソコンを使用した講義・授業への対応性に優れており、更に、配線ダクトの下端はカバーで覆われているため美観にも優れている。
【０００７】
本願発明は、脚柱に配線ダクトを取り付けできる点については先願発明を踏襲しつつ、配線ダクトを取り付ける場合と取り付けない場合との融通性の向上など、カバーとベース体とに関する改良を図ることを目的として成されたものである。
【課題を解決するための手段】
【０００８】
本願発明の机は、左右長手の天板と、前記天板を支持する脚柱と、前記脚柱の下端に固定したベース体とを備えており、前記ベース体は脚柱の外側にはみ出した露出部を有していてこの露出部がアンカーで床に固定されるようになっており、更に、前記ベース体の露出部は着脱自在なカバーで覆われており、かつ、前記脚柱の外周面のうちの一部に上下長手の配線ダクトを取り付けることが可能になっている。
【０００９】
そして、請求項１の発明では、「前記カバーは脚柱の周囲を囲う形態になっており、このカバーのうち少なくとも前記配線ダクトが取り付けられる部分は他の部分から分離可能になっている」という特徴を有している。
【００１０】
請求項２の発明は請求項１の発明をより具体化したもので、この発明では、前記ベース体は、脚柱の前方にはみ出た前露出部と脚柱の手前側にはみ出た後露出部とを有しており、脚柱の左右側面のうち何れか一方又は両方に前記配線ダクトを取り付けることが可能になっている一方、前記カバーは、主として前記ベース体の前露出部を覆うフロントパーツと、主として前記ベース体の後露出部を覆うリアパーツと、前記脚柱の左右外側面部においてフロントパーツとリアパーツとの間に介在した左右サイドパーツとの４個のパーツで構成されており、前記サイドパーツと配線ダクトとは平面視で略同じ形状及び大きさになっている。
【００１１】
請求項３の発明は請求項２の発明の展開例であり、この発明では、請求項２において、前記ベース体は金属板製であり、前記前露出部と後露出部との左右側縁部には、左右方向に開口した雌ねじ部を有する締結部が上向きに突設されている一方、前記サイドパーツには前記ベース体における締結部の外面に重なる前後の張り出し片が形成されており、更に、前記フロントパーツとリアパーツとには、当該フロントパーツ及びリアパーツと前記サイドパーツの張り出し片とをベース体の締結部に共締めするビスを挿入する取り付け穴が左右方向に延びるように形成されている。
【００１２】
本願発明における「アンカー」とはベース体を床に固定するファスナー類を総称するものであり、ねじ込み式や拡張式、或いは、スタッド式でこれにナットをねじ込むタイプなど様々のものを包含している。また、「パーツ」の文言は「メンバー」に置き換えることも可能である。
【発明の効果】
【００１３】
本願発明によると、カバーはベース体の全体を覆っているため、美感に優れていると共に、ベース体は加工や形態の制約が少なくなるため設計の自由性を向上できる。そして、脚柱には配線ダクトを取り付ける場合と取り付けない場合とがあるが、本願発明ではカバーのうち配線ダクトを取り付ける部分は他の部分とは別パーツになっているため、そのパーツを取り外すことで配線ダクトを取り付けることができる。このため、配線ダクトの有無に対応できて融通性に優れている。
【００１４】
配線ダクトは脚柱の右側面に取り付ける場合と左側面に取り付ける場合とが有り得るが、請求項２のようにカバーを４つのパーツで構成すると、左右いずれかのサイドパーツを取り外すことで脚柱の右側面と左側面とを選択して配線ダクトを取り付けることができ、このため融通性がより一層高い。
【００１５】
カバーは何らかの手段でベース体に取り付ける必要がある。この場合、例えば弾性変形する爪を利用した取り付けも採用できるが、ビス（ボルト）による締結を採用すると人が足で蹴っても外れない利点がある。そして、請求項３のように構成すると、ビスによる締結において、サイドパーツとフロントパーツ及びリアパーツとをそれぞれビスで共締めするものであるため、ビスの本数を少なくしてコストを抑制できると共に取り付け作業の手間も軽減でき、更に、フロントパーツ及びリアパーツにおけるビスの挿通穴は横向きに開口しているためホコリやゴミが溜まって美観を悪化することも防止できる。
【００１６】
ところで、机を設置する床は、コンクリートスラブがむき出しである場合と、多数枚の床パネルを縦横に整列したコンクリートスラブに敷設したアクセスフロア（二重床）である場合とがあり、後者では、アンカーは床パネルを貫通してコンクリート基礎に挿入することになる。この場合、アンカーが隣り合った床パネルの当接部（継ぎ目）に位置していると、下穴の加工が厄介であり、従って、アンカーは床パネルの継ぎ目から外れた部位に設ける必要がある。
【００１７】
そして、請求項３の構成では、ベース体の締結部は当該ベース体の左右側縁に配置されているため、床に重なる水平部とベース体の締結部の側面に重なる垂直部とを有する補助金具を使用して、補助金具をベース体の締結部にビスで固定することにより、補助金具を床パネルの継ぎ目から外れた部位に固定することが可能になる。すなわち、ベース体の締結部はカバーの取り付けのみでなく補助金具の取り付けに供用することが可能であり、これにより、床に対する机の固定を確実ならしめることが可能になる。この点も請求項３の利点の一つである。
【発明を実施するための最良の形態】
【００１８】
次に、本願発明の実施形態を図面に基づいて説明する。図１〜図８は第１実施形態（主たる実施形態）を示している。まず、第１実施形態から説明する。以下の説明（及び請求項）で「前後」「左右」の文言を使用するが、この前後左右は、人が机を通常の姿勢で使用する状態を基準にしている。
【００１９】
(1).概略
図１のうち（Ａ）は机の斜視図、（Ｂ）は（Ａ）のＢ−Ｂ視断面図である。これらの図に示すように、机は、左右横長の木製天板１と、天板１を左右両端部において支持する脚２とを備えている。脚２は、金属パイプ製（例えば鋼管製）の脚柱３とその上端に溶接によって固着した前向きブラケット４とを備えており、アーム４を天板１の下面にビス（図示せず）で固定している。ブラケット４は金属板を素材にした板金加工品であり、上向きに開口している。
【００２０】
天板１は脚柱３の後面から前方にある程度の寸法だけオーバーハングしており、このオーバーハングした部分の下面部に上向き開口の可動式配線樋５を配置している。図１（Ｃ）に拡大して示すように、可動式配線樋５は、その前部は天板１まで延びていてその上端部５ｄが押さえ板５ｅを介してビス５ｆで天板１に固定されるようになっており、手前部５ｂと天板１との間には大きな空間が空いている。
【００２１】
また、天板１の下方には断面略Ｌ形の固定式配線樋６が固着されており、固定式配線樋６の前端部に雄形支持部６ａを上向き突設している一方、可動式配線樋５の下端には下向き開口溝形の雌型支持部５ｂを形成し、雌型支持部５ｂを雄型支持部６ａに嵌め込むことにより、ビス５ｆを取り外すと可動式配線樋５を前方（机の背面方向）に倒して配線作業を楽に行えるようになっている。可動式配線樋５の下端には、前向きに倒した状態で固定式配線樋６の下端部に当たるストッパー部５ｃを形成している。
【００２２】
固定式配線樋６は、その左右端部を切欠くか又は左右脚２との間に空間を形成するかすることにより、下方からケーブル８を引き込めるようになっている。ケーブル８は固定式配線樋６から可動式配線樋５に引き出すことができる。また、例えばケーブル８のうち電源線のような強電線は固定式配線樋６に配置して通信ケーブルのような弱電線は可動式配線樋５に配置するというように、ケーブル８の性質・種類に応じて配線態様を変えることができる。
【００２３】
左右の脚柱３の上端間には天板１の下面に重なる左右長手の補強フレーム９が装架されており、補強フレーム９は固定式配線樋６で覆われている。また、配線樋５の下方部には幕板１０を配置している。幕板１０はスペーサ１１を介して脚柱３にビス等で締結されている。
【００２４】
図示していないが、天板１のやや下方部には物品を載置できる棚が配置されている。また、図示していないが、天板１のうち例えば後部上面には、電源用コンセントと通信線雌プラグを設けている。これらコンセントや雌プラグは、机の使用者に対応して左右に適宜間隔を隔てて複数対ずつ設けている。本実施形態では左右の脚２で天板１を支持して成る机を単位としてその複数個を左右に並設しており、隣り合った机の天板１は互いに密着している。
【００２５】
左右に隣り合った天板１を一つの脚２で支持しても良いし（すなわち左右の机で脚２を共用しても良い）、或いは、天板１の左右長さが相当に長い場合は、１枚の天板１の左右中途部を中間脚で支持することも可能である。机群の最も左右端部に位置した脚柱３の内側面には上下長手の配線ダクト１２が装着されており、この配線ダクト１２を介して床下空間と配線樋５との間にケーブル７が通されている。配線ダクト１２の上端は配線樋５の下端と略同じ高さになっている。
【００２６】
次に、図２以下の図面も参照して脚２の詳細を説明する。図２は配線ダクト１２を装着していない脚２の下部の側面図、図３のうち（Ａ）は配線ダクト１２を装着した脚２の下部の側面図、（Ｂ）は（Ａ）のＢ−Ｂ視断面図、図４は主要部材の一部破断分離斜視図、図５のうち（Ａ）は図２の VA-VA視一部破断平断面図、（Ｂ）は（Ａ）のＢ−Ｂ視断面図、（Ｃ）は図３（Ａ）の VC-VC視断面図、（Ｄ）は配線ダクト１２の部分的な分離平断面図である。
【００２７】
(2).脚柱及びベース体
まず、脚柱３とベース体１４とを説明する。例えば図４から理解できるように、脚柱３は前後方向に長い長方形の形状になっており、その下面には、金属板製（鋼板製）のベース体１４が溶接によって固着されている。ベース体１４は金属板を材料にした板金品であり、脚柱３の前方に延びて床Ｆに重なる前露出部１４ａと、脚柱３の手前に延びて床Ｆに重なる後露出部１４ｂとを備えている。本実施形態では、前露出部１４ａよりも後露出部１４ｂの前後長さが遥かに大きくなっており、これら前後露出部１４ａ，１４ｂに、床Ｆに固定するためのアンカー１５が通る取り付け穴１６が空いている。
【００２８】
ベース体１４の底部は脚柱３の左右横幅と略同じ寸法になっており、前露出部１４ａと後露出部１４ｂとの左右両側縁には、それぞれ上向きの前後締結部１７，１８を折り曲げ形成している。前締結部１７の前後略中間部と後締結部１８の前部とにはそれぞれ雌ねじ穴１９を形成している。雌ねじ穴１９はタップ加工によって形成しているが、ナットを溶接しても良い。また、前締結部１７の略上部には脚柱３の側面に重なる後ろ向き突部が形成され、後締結部１８の略上部にも、脚柱３の側面に重なる前向き突部が形成されている。
【００２９】
(3).カバーの詳細
ベース体１４はその全体が樹脂製のカバー２０で覆われている。この点を次に説明する。カバー２０は、ベース体１４の前露出部１４ａを覆うフロントパーツ２１と、ベース体１４の後露出部１４ｂを覆うリアパーツ２２と、脚柱３の下面に重なった状態でフロントパーツ２１とリアパーツ２２との間に嵌まり込んだ左右一対のサイドパーツ２３との４つの部材で構成されている。
【００３０】
フロントパーツ２１及びリアパーツ２２は、上部は幅狭で下端に行くに従って幅が広がるように正面視台形状に形成されており、かつ、脚柱３に近い部分が高くて前後両端に行くに従って低くなるように側面視で傾斜している。従って、傾斜天面２１ａ，２２ａと傾斜側面２１ｂ，２２ｂを有している。サイドパーツ２３の外側面２３ａはフロントパーツ２１及びリアパーツ２２の傾斜側面２１ｂ，２２ｂと同一面を成す傾斜面になっている。このため、４つのパーツ２１，２２，２３から成るカバー２０は、全体として脚柱３から遠ざかるに従って裾広がりの台錐形状になっている。
【００３１】
フロントパーツ２１は下方及び手前に向いて開口した中空状に形成されており、ベース体１４における前部の締結部１７に外側から重なるようになっている一方、リアパーツ２２は下方及び前方に向いて開口した中空状に形成されており、ベース体１４における手前側の締結部１８に外側から重なるようになっている。そして、フロントパーツ２１とリアパーツ２２との左右側部には、ベース体１４における締結部１７，１８の雌ねじ穴１９にねじ込まれるビス（ボルト）２４が嵌まる取り付け穴２５が空いている。当然ながら、取り付け穴２５は左右方向に貫通している。また、ビス２４の頭が隠れる大径の座繰り部を有している。
【００３２】
フロントパーツ２１の左右両側部には側面視で脚柱３と重なる後ろ向き部２１ｃが一体に形成され、リアパーツ２２の左右両側部は側面視で脚柱３と重なる前向き部２２ｃが一体に形成されている。例えば図に示すように、フロントパーツ２１の後ろ向き部２１ｃは側面視で前傾姿勢になっている一方、リアパーツ２２の前向き部２２ｃは側面視で後傾姿勢になっており、更に、例えば図５（Ａ）から明らかなるように、フロントパーツ２１の後ろ向き部２１ｃ及びリアパーツ２２の前向き部２２ｃとも、その付け根から先端に行くに従って脚柱３の外面との間隔が広がるように平面視で山形になっている。
【００３３】
他方、サイドパーツ２３は、平面視では、図２に示すように、フロントパーツ２１の後ろ向き部２１ｃとリアパーツ２２の前向き部２２ｃとの間にすっぽりと挟まるように脚柱３から遠ざかるに従って前後幅が小さくなる台形形状であり、側面視では、図２に示すように、下方に行くに従って前後間隔が小さくなる逆台形状になっている。換言すると、サイドパーツ２３の前面２３ｂとフロントパーツ２１の後ろ向き部２１ｃとが密着し、サイドパーツ２３の後面２３ｃとリアパーツ２２の前向き部２１ｃとが密着している。従って、サイドパーツ２３の前面２３ｂと後面２３ｃとは平面視及び側面視で傾斜している。
【００３４】
そして、サイドパーツ２３には、ベース体１４の前締結部１７に外側から重なる前張り出し片２３ｄと、ベース体１４の後締結部１８に外側から重なる後張り出し片２３ｅとが一体に形成されており、両張り出し片２３ｄ，２３ｅには、締結部１７，１８の雌ねじ穴１９に連通する通穴２６が空いており、これにより、サイドパーツ２３とフロントパーツ２１及びリアパーツ２２はビス２４でベース体１４に締結されている。
【００３５】
フロントパーツ２１のうちベース体１４の前締結部１７と重なる内面部、及び、リアパーツ２２のうちベース体１４の後締結部１８に重なる内面部には、サイドパーツ２３の張り出し部２３ｄ，２３ｅが嵌まり込む凹所２７が形成されている。図４及び図５（Ａ）（Ｃ）から理解できるように、フロントパーツ２１の凹所２７は手前に開口しており、リアパーツ２２の凹所２７は前向きに開口している。
【００３６】
フロントパーツ２１，リアパーツ２２，サイドパーツ２３の取り付けの手順としては、先にサイドパーツ２３の張り出し部２３ｄ，２３ｅを締結部１７，１８に重ねておき、それから、フロントパーツ２１を手前にスライドさせることと、リアパーツ２２を前方にスライドさせることとを行うことになる。
【００３７】
図５（Ｂ）に示すように、ベース体１４における後露出部１４ｂの手前端には上向き段部２８が押し出し形成されている一方、リアパーツ２２の手前端部には、上向き段部２８に下方から入り込む爪２９が形成されている。このため、リアパーツ２２はその前後長さが長いものの外力で外れることはない。なお、フロントパーツ２１は前後長さが短いため上向き段部や爪が無くても外力で外れることはない。
【００３８】
詳細は省略するが、フロントパーツ２１及びリアパーツ２２は、それぞれベース体１４における締結部１７，１８の上面にも重なるように設定されている。また、フロントパーツ２１及びリアパーツ２２とも、左右の締結部１７，１８の間に入り込む内ボス部を形成すると位置決め機能が一層向上する。
【００３９】
(4).配線ダクトの詳細
図４や図５（Ｃ）（Ｄ）から容易に理解できるように、配線ダクト１２は脚柱３にビス３１で固定された略樋状の本体３２と、本体３２を塞ぐ前後一対の蓋板３３とで構成されている。
【００４０】
本体３２の前後側板３２ａは、カバー２０におけるサイドパーツ２３の前後面２３ｄ，２３ｅの同一面を成し得るように傾斜しており、本体３２における前後側板３２ａの先端にそれぞれ蓋板３３が軟質のヒンジ部３４を介して一体に接続されている。このため配線ダクト１２は全体として平面視で台形状になっており、かつ、配線ダクト１２はカバー２０のサイドパーツ２３と同じ平面形状・大きさになっている。配線ダクト１２は樹脂を素材として押し出し成形で製造されており、ヒンジ部３４は共押し出し法によって一体に形成されている。
【００４１】
また、本体３２の内部には、当該本体３２の内部を前後に二等分する仕切り板３２ｂが一体に形成しており、この仕切り板３２ｂの先端部に係止頭部３２ｃと二股状の支持部３２ｄとが形成されている。他方、蓋板３３の先端部には、本体３２の係止頭部３２ｃに係脱する爪部３３ａを形成している。このため、前後の蓋板３３は一種の観音開き方式になっており、独立して開閉することができる。本体３２の左右側板３２ａには、閉じた状態での蓋板３３の付け根部が当たる支持部３２ｅを一体に形成している。配線ダクト１２を脚柱３に装着する場合は、図４に示すように、本体３２を構成する側板３２ａの下端部の付け根箇所は、ベース１４の締結部１７，１８と干渉しないように切欠いている。
【００４２】
本体３２の内部は仕切り板３２ｂで前後に区分されており、このため、例えば強電ケーブル用と弱電ケーブル用というように内部を使い分けることができる。そして、前後の空間はそれそれ個別の蓋板３３で開閉されるため、配線作業が楽である。また、一般には蓋板は本体と別体に構成することが多く、すると部材管理に手間がかかると共に加工コストも嵩む問題がある。
【００４３】
これに対して本実施形態のように軟質材（例えばエラストマー）よりなるヒンジ部を介して蓋板３３を本体３２に一体に設けた構成を採用すると、加工コストを抑制できると共に部材管理の手間を省くことができる利点がある。なお、配線ダクト１２の構造は床固定式机に限らず家具類の配線手段とて広く適用することができる。
【００４４】
(5).まとめ
以上の構成において、床下空間に配置したケーブル７は、床Ｆに空けた穴から配線ダクト１２の内部に通し、そして、配線ダクト１２から配線樋を介してコンセントや雌プラグに接続することができる。この場合、配線ダクト１２の内部は仕切り板３２ａによって前後に区分されているため、内部を電源等の強電ケーブル挿通部と通信線用等の弱電ケーブル挿通部とに使い分けすることができ、このため、弱電ケーブルが強電ケーブルによって悪影響を受けることを防止できる。
【００４５】
なお、床にはケーブル挿通穴が空いており、一般に、机は、配線ダクト１２がケーブル挿通穴と連通するように設置される。床のケーブル挿通穴と配線ダクト１２とがずれている場合は、ケーブルは、配線ダクト１２とケーブル挿通穴との間において床Ｆに這わせることになる（勿論、ケーブルは保護部材でカバーしている）。
【００４６】
全ての脚２に配線ダクト１２を装着する訳ではなく、一般には、机群の最端部に位置した一本又は２本の脚柱３に配線ダクト１２を装着することになる。従って、配線ダクト１２を装着している脚柱３と装着していない脚柱３とが存在する。
【００４７】
そして、本実施形態では、ベース体１４を覆うカバー２０は４つのパーツ２１，２２，２３からなっていると共に、カバー２０のサイドパーツ２３と配線ダクト１２とは平面視で略同じ形状・大きさであるため、配線ダクト１２を取り付ける場合は、一つのサイドパーツ２３を取り外して、配線ダクト１２の下部をフロントパーツ２１とサイドパーツ２３との間に嵌め込めば良い。すなわち、配線ダクト１２と一つのサイドパーツ２３とを選択的に付け替えることができる。このため、配線ダクト１２を付けていない状態で脚柱３の下部はスッキリとしていて美観に優れている。
【００４８】
また、本実施形態では配線ダクト１２はフロントパーツ２１及びリアパーツ２２から殆ど突出していないため、美観において特に優れているのみならず、机の使用者の足がカバー２０の箇所において配線ダクト１２に触れても配線ダクト１２にはこれを外すような外力は殆ど作用せず、このため外れ防止機能も高いという利点がある。
【００４９】
更に、机をアクセスフロアーに設置する場合、アクセスフロアーを構成する床パネルはコンクリートスラブに載っているだけであるため、アンカーはコンクリートスラブに打ち込む必要がある。この場合、アンカーが隣り合った床パネルＰの継ぎ目箇所にくると下穴空け加工が厄介なる。この点、本実施形態では、ベース体１４の締結部１７，１８は前後露出部１４ａ，１４ｂの側縁に形成しているため、図６に示すように、締結部１７，１８にＬ形等の補助金具３５をビス２４で固定し、この補助金具３５に貫通したアンカー１５を床パネルＰのうち外周より内側の部位に貫通させて更にコンクリートスラブＳに打ち込むことにより、ベース体１４を特段の支障なしで床Ｆに固定することができる。
【００５０】
図６に示すように、フロントパーツ２１及びリアパーツ２２における外側部の下端には、床Ｆに当接又は密接する薄肉部２０ａを形成しており、また、内側部には、締結部１７，１８の下端部側面に重なる内向き突部２０ｂを形成している。そして、補助金具３５を使用する場合は、これら薄肉部２０ａと内向き突部２０ｂとは補助金具３５と干渉しないように切除している。また、補助金具３５を使用してなおかつサイドパーツ２３を取り付ける場合は、サイドパーツ２３の張り出し片２３ｄ，２３ｅと下端縁とは切除することになる（このためサイドパーツ２３の下端縁も薄肉になっている。）。
【００５１】
次に、図７，８も参照して配線樋５について説明する。複数の机を並設する場合、隣り合った机の配線樋５はその端面が互いに密着又は密接するように設定しており、配線樋５の端部が外側に露出する場合は、当該端部はキャップ３７で塞いでいる。キャップ３７は配線樋５の端面に重なっており、配線樋５の内部に入り込む足部３７ａ（図１（Ｃ）も参照）を備えている。
【００５２】
そして、一端部が露出する場合は、配線樋５はおおむね天板１の左右長さ寸法からキャップ３７の厚さ寸法ｔを引いた寸法に設定しており、左右両側に机が配置されてて配線樋５の左右両端とも露出しない場合は、配線樋５は天板１の左右長さ寸法と同じ寸法に設定されており、更に、一つの机を単体で使用する場合は、配線樋の左右両端にキャップ３７を装着せねばならないため、配線樋５はおおむね天板１の左右長さ寸法からキャップ３７の厚さ寸法ｔの２倍の寸法を引いた寸法に設定している。
【００５３】
本実施形態のようにカバー２０を全体として台錐形に形成すると、底面積の割りにはボリューム感が抑制されて美観に優れており、また、角張りが少なくなるため人が誤って蹴った場合のダメージも少なくなる利点がある。
【００５４】
(6).他の実施形態
図９では第２実施形態を示している。この実施形態では、ベース体１４の前後露出部１４ａ，１４ｂは同じ長さで前後対称の形状になっており、従って、フロントパーツ２１とリアパーツ２２とは同一種類である。配線ダクト１２はフロントパーツ２１及びリアパーツ２２からはみ出しているが、殆ど又は全くはみでない寸法に設定しても良い。
【００５５】
なお、本実施形態のようにベース体１４が前後対称及び左右対称の形態でかつ脚柱３が四角形である場合は、カバー２０は、フロントパーツ２１とリアパーツ２２と一方のサイドパーツ２３とが一体化した第１パーツと、他方のサイドパーツ２３とからなる２パーツ方式とすることも可能である。
【００５６】
(7).その他
本願発明は上記の実施形態の他にも様々に具体化できる。例えば脚柱の顔面形状は長方形の角形に限らず、小判形や正方形、或いは楕円形などの様々の形状を採用できる。断面Ｃ字のようなチャンネル材を使用することも可能であるが、パイプ材を使用すると強度に優れる利点がある。配線ダクトは脚柱の前面又は後面に装着することも可能である。
【００５７】
ベース体は、脚柱の左右両側又は片側に張り出す形態や、前後いずか一方のみに張り出す形態も採用できる。カバーをベース体に取り付ける手段としては、例えば第１実施形態を例に取ると、締結部１７，１８には通穴を空けて、フロントパーツ２１，リアパーツ２２に挿通したボルトにナットをねじ込むといったことも可能である。また、ベース体は板金加工品に限らず、金属のダイキャスト品又は鋳物を採用することも可能である。カバーは３パーツ又は５パーツ以上で構成することも可能である。
【図面の簡単な説明】
【００５８】
【図１】（Ａ）は机の斜視図、（Ｂ）は（Ａ）のＢ−Ｂ視断面図である。
【図２】配線ダクトを装着していない脚の下部の側面図である。
【図３】（Ａ）は配線ダクトを装着した脚の下部の側面図、（Ｂ）は（Ａ）のＢ−Ｂ視断面図である。
【図４】主要部材の一部破断分離斜視図である。
【図５】（Ａ）は図２の VA-VA視一部破断平断面図、（Ｂ）は（Ａ）のＢ−Ｂ視断面図、（Ｃ）は図３（Ａ）の VC-VC視断面図、（Ｄ）は配線ダクト１２の部分的な分離平断面図である。
【図６】補助金具を使用している状態での断面図である。
【図７】配線樋の配置態様を示す背面図である。
【図８】配線樋の配置態様を示す背面図である。
【図９】第２実施形態を示す図である。
【符号の説明】
【００５９】
１  天板
２  脚
３  脚柱
１２  配線ダクト
１４  ベース体
１４ａ  ベース体の前露出部
１４ｂ  ベース体の後露出部
１５  アンカー
１６  取り付け穴
１７  ベース体の前締結部
１８  ベース体の後締結部
１９  雌ねじ穴
２０  カバー
２１  フロントパーツ
２２  リアパーツ
２３  サイドパーツ
２３ｄ  張り出し片
【図１】
2008093101.tif 000003
【図２】
2008093101.tif 000004
【図３】
2008093101.tif 000005
【図４】
2008093101.tif 000006
【図５】
2008093101.tif 000007
【図６】
2008093101.tif 000008
【図７】
2008093101.tif 000009
【図８】
2008093101.tif 000010
【図９】
2008093101.tif 000011